(57)【要約】【課題】  通知に基づく報知によるユーザの集中の阻害等の可能性を低減する。【解決手段】  ユーザによる入力を受け付ける入力手段と、ユーザに対する所定の通知に基づいた報知を行う報知手段と、入力手段に対する入力中又は入力待ち状態において報知手段による通知に基づいた報知が可能となる通知可能タイミングが到来した場合と、入力手段に対する入力中及び入力待ち状態以外の非入力状態において通知可能タイミングが到来した場合とで、報知手段による報知態様を変化させる制御手段とを備える、通知制御装置が開示される。【選択図】  図８
2020061031.tif 000002
【特許請求の範囲】
【請求項１】
ユーザによる入力を受け付ける入力手段と、
前記ユーザに対する所定の通知に基づいた報知を行う報知手段と、
前記入力手段に対する入力中又は入力待ち状態において前記報知手段による通知に基づいた報知が可能となる通知可能タイミングが到来した場合と、前記入力手段に対する前記入力中及び前記入力待ち状態以外の非入力状態において前記通知可能タイミングが到来した場合とで、前記報知手段による報知態様を変化させる制御手段とを備える、通知制御装置。
【請求項２】
前記制御手段は、前記入力中又は前記入力待ち状態において前記通知可能タイミングが到来した場合、前記非入力状態において前記通知可能タイミングが到来した場合よりも、前記報知手段による報知を遅らせる、請求項１に記載の通知制御装置。
【請求項３】
前記制御手段は、前記入力中又は前記入力待ち状態において前記通知可能タイミングが到来した場合、前記非入力状態になるまで、前記報知手段による報知を待機させる、請求項２に記載の通知制御装置。
【請求項４】
前記制御手段は、前記入力中又は前記入力待ち状態において前記通知可能タイミングが到来した場合、前記入力手段に対する前記入力待ち状態以外の非入力状態において前記通知可能タイミングが到来した場合よりも、表示部における前記報知手段による報知領域を小さくする、請求項１に記載の通知制御装置。
【請求項５】
前記制御手段は、前記入力中又は前記入力待ち状態において前記通知可能タイミングが到来した場合、該通知可能タイミングで第１通知を報知し、前記通知可能タイミングよりも後に、前記第１通知よりも詳細な第２通知を報知する、請求項１に記載の通知制御装置。
【請求項６】
前記制御手段は、更に、前記通知可能タイミングが到来した場合であっても、前記通知の属性が所定の属性である場合は、該通知可能タイミングで前記通知に基づいた報知をしつつ、前記入力中又は前記入力待ち状態を維持する、請求項１〜５のうちのいずれか１項に記載の通知制御装置。
【請求項７】
前記入力手段は、ユーザによる音声入力又はタッチ入力を受け付けることを特徴とする請求項１〜６のうちのいずれか１項に記載の通知制御装置。
【請求項８】
前記入力手段、前記報知手段、及び前記制御手段は、一の電子機器により実現される、請求項１〜７のうちのいずれか１項に記載の通知制御装置。
【請求項９】
前記所定の通知を受信する受信手段と、
前記所定の通知を送信する送信手段とを更に備え、
前記受信手段、前記入力手段及び前記報知手段は、第１の電子機器により実現され、
前記送信手段及び前記制御手段は、前記第１の電子機器とは異なる第２の電子機器により実現され、前記送信手段は、前記第１の電子機器に前記所定の通知を送信する、請求項１〜７のうちのいずれか１項に記載の通知制御装置。
【請求項１０】
電子機器の入力手段に対するユーザによる入力中又は入力待ち状態において前記ユーザに対する所定の通知が通知可能となる通知可能タイミングが到来した場合と、前記入力手段に対する前記入力待ち状態以外の非入力状態において前記通知可能タイミングが到来した場合とで、前記所定の通知に基づく報知態様を変化させることを含む、コンピュータにより実行される方法。
【請求項１１】
電子機器の入力手段に対するユーザによる入力中又は入力待ち状態において前記ユーザに対する所定の通知が通知可能となる通知可能タイミングが到来した場合と、前記入力手段に対する前記入力待ち状態以外の非入力状態において前記通知可能タイミングが到来した場合とで、前記所定の通知に基づく報知態様を変化させる
処理をコンピュータに実行させるプログラム。
【発明の詳細な説明】
【技術分野】
【０００１】
本開示は、通知制御装置、方法及びプログラムに関する。
【背景技術】
【０００２】
従来、時計やスマートフォン等の電子機器において、メールや電話の着信があった際、発信者や着信内容等の情報を通知する技術がある（例えば特許文献１参照）。また、電子機器の操作中に通知が飛来した際、ポップアップ等により通知が行われる構成もあり、ユーザは通知が飛来したことを認識できる。
【先行技術文献】
【特許文献】
【０００３】
【特許文献１】特開平１１−１１２６１７号公報
【発明の概要】
【発明が解決しようとする課題】
【０００４】
しかしながら、上記のような従来技術では、ポップアップ等による通知が行われることにより、ユーザは自身が行っていた操作に対する集中を削がれてしまうおそれがあった。例えば、音声認識検索機能を使用中に通知が行われた場合、ユーザは通知の方に意識が向いてしまい、音声認識検索機能への集中が削がれてしまう場合がありうる。
【０００５】
そこで、１つの側面では、本発明は、通知に基づく報知によるユーザの集中の阻害等の可能性を低減することを目的とする。
【課題を解決するための手段】
【０００６】
上記目的を達成するために、本発明の１つの側面では、ユーザによる入力を受け付ける入力手段と、
前記ユーザに対する所定の通知に基づいた報知を行う報知手段と、
前記入力手段に対する入力中又は入力待ち状態において前記報知手段による通知に基づいた報知が可能となる通知可能タイミングが到来した場合と、前記入力手段に対する前記入力中及び前記入力待ち状態以外の非入力状態において前記通知可能タイミングが到来した場合とで、前記報知手段による報知態様を変化させる制御手段とを備える、通知制御装置が提供される。
【発明の効果】
【０００７】
１つの側面では、本発明によれば、通知に基づく報知によるユーザの集中の阻害等の可能性を低減することが可能となる。
【図面の簡単な説明】
【０００８】
【図１】一実施例による操作支援装置が適用されるユーザインターフェース用システムの構成を概略的に示す図である。
【図２】一実施例による電子機器の概略図である。
【図３】電子機器のハードウェア構成を示すブロック図である。
【図４】電子機器の機能構成の一例を示す図である。
【図５Ａ】電子機器の画面例を示す図である。
【図５Ｂ】電子機器の画面例を示す図である。
【図５Ｃ】電子機器の画面例を示す図である。
【図５Ｄ】電子機器の画面例を示す図である。
【図５Ｅ】電子機器の画面例を示す図である。
【図６】外部通信装置の処理装置のハードウェア構成の一例を示す図である。
【図７】外部通信装置の処理装置の機能構成の一例を示す図である。
【図８】通知制御装置の動作例の説明用の概略フローチャートである。
【発明を実施するための形態】
【０００９】
以下、添付図面を参照しながら各実施例について詳細に説明する。
【００１０】
図１は、一実施例による電子機器１を含む通知制御装置１０の構成を概略的に示す図である。
【００１１】
通知制御装置１０は、電子機器１（第１の電子機器の一例）と、外部通信装置３（第２の電子機器の一例）とを含む。以下、ユーザとは、通知制御装置１０のユーザを指す。通知制御装置１０のユーザは、電子機器１のユーザでもあり、外部通信装置３のユーザでもある。ただし、電子機器１のユーザと、外部通信装置３のユーザとは、異なる場合があってもよい。
【００１２】
電子機器１は、外部通信装置３に対してそれぞれ双方向通信が可能である。この双方向の通信の形態は、無線通信であってもよいし、有線通信であってもよい。
【００１３】
（電子機器）
図２は、一実施例による電子機器１の概略図である。図２に示すように、本実施例の電子機器１は、ウエアラブル端末であり、腕時計型の装置（スマートウォッチ等）として構成されている。なお、変形例では、電子機器１は、ユーザに付帯可能な他の形態であってもよい。
【００１４】
電子機器１は、第１表示部１８及び第２表示部２４（後述）を備えており、第１表示部１８の上に第２表示部２４が積層されている。さらに、第２表示部２４の上には、後述するタッチパネル１７が設けられている。このため、電子機器１においては、第１表示部１８の表示に第２表示部２４の表示を重ね合わせて表示することが可能であるとともに、表示内容にタッチ操作することが可能となっている。以下では、電子機器１のユーザは、典型的には、電子機器１を腕に装着して使用する。
【００１５】
図３は、電子機器１のハードウェア構成を示すブロック図である。図３に示すように、電子機器１は、ＣＰＵ（ＣＥＮＴＲＡＬ  ＰＲＯＣＥＳＳＩＮＧ  ＵＮＩＴ）１１と、ＲＯＭ（ＲＥＡＤ  ＯＮＬＹ  ＭＥＭＯＲＹ）１２と、ＲＡＭ（ＲＡＮＤＯＭ  ＡＣＣＥＳＳ  ＭＥＭＯＲＹ）１３と、記憶部１４と、ＲＴＣ（ＲＥＡＬ  ＴＩＭＥ  ＣＬＯＣＫ）部１５と、ドライブ１６と、タッチパネル１７と、第１表示部１８と、第１入力部１９と、ブルートゥース（登録商標）用アンテナ２０と、ブルートゥースモジュール２１と、無線ＬＡＮ（ＬＯＣＡＬ  ＡＲＥＡ  ＮＥＴＷＯＲＫ）アンテナ２２と、無線ＬＡＮモジュール２３と、第２表示部２４と、脈拍センサ２５と、地磁気センサ２６と、加速度センサ２７と、ジャイロセンサ２８と、照度センサ２９と、第２入力部３０と、ＧＰＳ（ＧＬＯＢＡＬ  ＰＯＳＩＴＩＯＮＩＮＧ  ＳＹＳＴＥＭ）アンテナ３１と、ＧＰＳモジュール３２と、を備えている。
【００１６】
ＣＰＵ１１は、第１ＣＰＵ１１Ａと、第２ＣＰＵ１１Ｂとによって構成される。第１ＣＰＵ１１Ａは、各種演算処理を行い、ＯＳ（ＯＰＥＲＡＴＩＮＧ  ＳＹＳＴＥＭ）の処理を実行することにより、電子機器１におけるスマートフォンに類する機能を制御する。本実施例において、第１ＣＰＵ１１Ａは、ブルートゥースモジュール２１あるいは無線ＬＡＮモジュール２３を介して受信した電子メールの着信や気象情報に関するメッセージ等を第１表示部１８に表示させたり、タッチパネル１７を介して入力される操作を受け付けたりする。また、第１ＣＰＵ１１Ａは、第１入力部１９を介して入力される音声を認識したり、その他、スマートフォンに類する機能として実装された各種機能に係る処理を行ったりする。
【００１７】
また、本実施例において、第１ＣＰＵ１１Ａは、ＲＴＣ部１５から所定タイミングで時刻信号を取得する。
【００１８】
第２ＣＰＵ１１Ｂは、特定のプログラムの処理を実行することにより、第２表示部２４に対する表示の指示を行ったり、各種センサの検出結果を取得したり、その他、腕時計の機能として実装された各種機能に係る処理を行ったりする。本実施例において、第２ＣＰＵ１１Ｂは、第１ＣＰＵ１１Ａから入力された時刻信号を基準として、時刻を計算したり、時刻、曜日あるいは日付等を第２表示部２４に表示させたりする。第２ＣＰＵ１１Ｂが実行する特定のプログラムの処理（時刻の計算等）は、第１ＣＰＵ１１Ａが実行するＯＳの処理に比べて単純な動作であることから処理負荷が小さく、低消費電力で実行可能である。また、そのため、第２ＣＰＵ１１Ｂに要求されるハードウェアのスペックは、第１ＣＰＵ１１Ａに比べて低いもので足りる。
【００１９】
ＲＯＭ１２は、第１ＣＰＵ１１Ａ及び第２ＣＰＵ１１Ｂそれぞれからデータの読み出しが可能であり、第１ＣＰＵ１１Ａ及び第２ＣＰＵ１１Ｂが実行する種々のプログラムや初期設定データを格納する。例えば、ＲＯＭ１２は、第１ＣＰＵ１１Ａが実行するＯＳのプログラムやＯＳの管理下で実行される各種プログラム、あるいは、第２ＣＰＵ１１Ｂが実行する特定のプログラム（ここでは、腕時計の機能を実現する組み込み用プログラム）のプログラムを格納する。
【００２０】
ＲＡＭ１３は、第１ＣＰＵ１１Ａ及び第２ＣＰＵ１１Ｂそれぞれからデータの読み出し及び書き込みが可能であり、第１ＣＰＵ１１Ａ及び第２ＣＰＵ１１Ｂに作業用のメモリ空間を提供し、作業用の一時データを記憶する。例えば、ＲＡＭ１３は、第１ＣＰＵ１１ＡがＯＳを実行する際のシステム領域やワークエリアを提供したり、第２ＣＰＵ１１Ｂが特定のプログラムを実行する際の記憶領域を提供したりする。
【００２１】
記憶部１４は、第１ＣＰＵ１１Ａ及び第２ＣＰＵ１１Ｂそれぞれからデータの読み出し及び書き込みが可能な不揮発性のメモリであり、例えば、フラッシュメモリやＥＥＰＲＯＭ（ＥＬＥＣＴＲＩＣＡＬＬＹ  ＥＲＡＳＡＢＬＥ  ＡＮＤ  ＰＲＯＧＲＡＭＭＡＢＬＥ  ＲＥＡＤ  ＯＮＬＹ  ＭＥＭＯＲＹ）である。記憶部１４には、スマートフォンに類する各種機能や腕時計の機能等において生成された各種データ（各種設定内容のデータ等）が記憶される。
【００２２】
ＲＴＣ部１５は、時刻信号を生成する。
【００２３】
ドライブ１６には、磁気ディスク、光ディスク、光磁気ディスク、あるいは半導体メモリ等よりなる、リムーバブルメディア４１が適宜装着される。リムーバブルメディア４１は、各種センサによって検出されたデータ等の各種データを記憶することができる。
【００２４】
タッチパネル１７は、第２表示部２４の表示画面上に設けられた静電容量方式または抵抗膜式等のタッチパネルである。タッチパネル１７は、操作面に対するユーザのタッチ操作位置と操作内容とを検出して当該操作に応じた信号を発生させて、入力信号として第１ＣＰＵ１１Ａに出力する。
【００２５】
第１表示部１８は、有機ＥＬディスプレイ（ＯＬＥＤ）によって構成され、第１ＣＰＵ１１Ａの制御に従って、各種情報を表示画面に表示する。
【００２６】
第１入力部１９は、音声を電気信号に変換するマイクを備え、入力された音声（操作のための音声コマンド等）を示す信号を第１ＣＰＵ１１Ａに出力する。
【００２７】
ブルートゥース用アンテナ２０は、ブルートゥースの規格に基づく電磁波を送受信するアンテナであり、例えばモノポールアンテナ等によって構成される。ブルートゥース用アンテナ２０は、ブルートゥースモジュール２１から入力された無線通信の電気信号を電磁波として送信したり、受信した電磁波を電気信号に変換してブルートゥースモジュール２１に出力したりする。
【００２８】
ブルートゥースモジュール２１は、第１ＣＰＵ１１Ａの指示に従って、ブルートゥース用アンテナ２０を介して他の装置に信号を送信する。また、ブルートゥースモジュール２１は、他の装置から送信された信号を受信し、受信した信号が示す情報を第１ＣＰＵ１１Ａに出力する。無線ＬＡＮアンテナ２２は、無線ＬＡＮモジュール２３によって利用される無線通信に対応した周波数の電波を受信可能なアンテナであり、例えばループアンテナやロッドアンテナによって構成される。無線ＬＡＮアンテナ２２は、無線ＬＡＮモジュール２３から入力された無線通信の電気信号を電磁波として送信したり、受信した電磁波を電気信号に変換して無線ＬＡＮモジュール２３に出力したりする。
【００２９】
無線ＬＡＮモジュール２３は、第１ＣＰＵ１１Ａの指示に従って、無線ＬＡＮアンテナ２２を介して他の装置に信号を送信する。また、無線ＬＡＮモジュール２３は、他の装置から送信された信号を受信し、受信した信号が示す情報を第１ＣＰＵ１１Ａに出力する。
【００３０】
第２表示部２４は、部分的にまたは全体的に光を透過可能なＰＮ（ＰＯＬＹＭＥＲ  ＮＥＴＷＯＲＫ）液晶ディスプレイから構成され、第２ＣＰＵ１１Ｂの制御に従って、各種情報を表示画面に表示（ここではセグメント表示）する。
【００３１】
本実施例において、第２表示部２４であるＰＮ液晶ディスプレイは、例えば、上述した第１表示部１８である有機ＥＬディスプレイの表示画面上に積層されている。このＰＮ液晶ディスプレイは、電位が掛けられていない部位では液晶分子が不規則に並び、光を反射するようになっている。つまり、この電位が掛けられていない部位において、ＰＮ液晶ディスプレイによる表示がなされることとなる。一方、電位が掛けられた部位では、液晶分子が表示画面に対して垂直に整列するので、光を透過可能となっている。つまり、この電位が掛けられた部位では、上述の有機ＥＬディスプレイからの光を透過可能となるので、当該ＰＮ液晶ディスプレイを介して当該有機ＥＬディスプレイによる表示を視認することができる。すなわち、電子機器１の表示領域では、第１表示部１８による表示に第２表示部２４による表示を重ね合わせた状態で表示することができるようになっている。
【００３２】
脈拍センサ２５は、電子機器１の裏面側（ユーザの腕に面する側）に設置され、電子機器１が装着されたユーザの脈拍を検出する。脈拍センサ２５は、検出した脈拍を第２ＣＰＵ１１Ｂに出力する。
【００３３】
地磁気センサ２６は、地磁気の方向を検出し、検出した地磁気の方向を示す情報を第２ＣＰＵ１１Ｂに出力する。
【００３４】
加速度センサ２７は、電子機器１における３軸方向の加速度を検出し、検出した加速度を示す情報を第２ＣＰＵ１１Ｂに出力する。
【００３５】
ジャイロセンサ２８は、電子機器１における３軸方向の角速度を検出し、検出した角速度を示す情報を第２ＣＰＵ１１Ｂに出力する。
【００３６】
照度センサ２９は、第１表示部１８の裏面側の所定箇所に設置され、電子機器１の表示領域における明るさ（照度）を検出し、検出した明るさを示す情報を第２ＣＰＵ１１Ｂに出力する。
【００３７】
第２入力部３０は、各種ボタンで構成され、ユーザの指示操作に応じて各種情報を入力する。
【００３８】
ＧＰＳアンテナ３１は、ＧＰＳにおける衛星から発信される電波を受信して電気信号に変換し、変換した電気信号（以下、「ＧＰＳ信号」と称する）をＧＰＳモジュール３２に出力する。
【００３９】
ＧＰＳモジュール３２は、ＧＰＳアンテナ３１から入力されたＧＰＳ信号に基づいて、電子機器１の位置（緯度、経度、高度）及びＧＰＳによって示される現在時刻を検出する。また、ＧＰＳモジュール３２は、検出した位置及び現在時刻を示す情報を第２ＣＰＵ１１Ｂに出力する。
【００４０】
なお、図３に示す構成は、あくまで一例であり、多様な変更が可能である。例えば、電子機器１は第１表示部１８と第２表示部２４とを備えるものとしたが、それに限らず、電子機器１は第１表示部１８のみを備えるものであってもよい。また、表示内容が表示される第１表示部１８がＯＬＥＤで構成されるが、液晶ディスプレイ等の他の表示手段で構成されてもよい。また、電子機器１のＣＰＵ１１は第１ＣＰＵ１１Ａと第２ＣＰＵ１１Ｂとからなるものとしたが、それに限らず、ＣＰＵ１１は第１ＣＰＵ１１Ａの機能と第２ＣＰＵ１１Ｂの機能の両方を備える１つのＣＰＵであってもよい。また、無線ＬＡＮモジュール２３、ジャイロセンサ２８、照度センサ２９、ＧＰＳモジュール３２等が省略されてもよい。
【００４１】
本実施例では、以下でも詳説するが、電子機器１は、第１ＣＰＵ１１Ａが、第１入力部１９（入力手段の一例）を介して入力される音声を認識する。なお、音声認識方法自体は広く知られており、任意の音声認識エンジンが使用されてもよい。電子機器１は、音声認識に基づく音声認識機能を実行する。音声認識機能は、例えば音声入力による検索機能である。例えば、電子機器１は、ユーザが「〇〇」と発呼すれば、「〇〇」に関連するウェブサイト等を探索し表示する。音声認識機能は、その他、会話機能や、ユーザからの発話による指示に応じて実現される機能（例えば天気の表示機能や、ストップウォッチ等の機能）と連携してもよい。
【００４２】
電子機器１は、外部通信装置３と協動して、通知制御機能を実現する。通知制御機能は、メールや電話の着信等があった際の通知態様を制御することで、通知に基づく報知によるユーザの集中の阻害等の可能性を低減するためのものである。
【００４３】
図４は、以下で説明する通知制御機能に関連した電子機器１の機能構成の一例を示す図である。
【００４４】
電子機器１は、状態情報送信部１５０と、通知受信部１５２と、通知報知部１５４（報知手段の一例）とを含む。状態情報送信部１５０、通知受信部１５２、及び通知報知部１５４は、例えばＣＰＵ１１がＲＯＭ１２のような記憶装置内のプログラムを実行することで実現できる。
【００４５】
状態情報送信部１５０は、音声認識機能の状態を表す状態情報を、ブルートゥースモジュール２１を介して外部通信装置３に送信する。
【００４６】
本実施例では、一例として、状態情報は、音声認識機能の実行状態、音声入力待ち状態、又は非作動状態のいずれかを表す。音声認識機能の実行状態とは、第１ＣＰＵ１１Ａが音声認識処理を実行している状態であり、音声の入力中（入力された音声の認識中を含む）を含む。音声入力待ち状態は、音声が入力されると直ちに第１ＣＰＵ１１Ａが音声認識処理を開始できる状態である。非作動状態は、音声が入力されたとしても第１ＣＰＵ１１Ａが音声認識処理を実行しえない状態である。例えば、音声認識機能が実行状態又は音声入力待ち状態であるときには、第１表示部１８等には、音声認識機能用の画面が出力される。この場合、音声認識機能用の画面が他の画面に遷移すると、音声認識機能の状態が実行状態又は音声入力待ち状態から非作動状態に移行したことになる。
【００４７】
通知受信部１５２は、外部通信装置３から送信される各種の通知を受信する。
【００４８】
通知報知部１５４は、通知受信部１５２が各種の通知を受信すると、受信した通知を出力（報知）する。例えば、通知報知部１５４は、第１表示部１８等を介して通知を表示する。なお、通知報知部１５４は、通知があることが更にユーザに伝わりやすくなるように、通知の出力とともに、振動等を発生させてもよい。
【００４９】
なお、本実施例において、報知の対象となる通知は、任意であり、複数種類のうちからユーザにより選択された種類だけであってもよい。例えば、報知の対象となる通知は、電話の着信、メールの受信、所定のアプリケーションからのプッシュ通知等であってよい。
【００５０】
本実施例では、一例として、電子機器１は、外部通信装置３から所定の通知を受信すると、すぐに当該所定の通知を出力するものとする。所定の通知は、報知の対象となる各種通知の全てであってもよいし、報知の対象となる全ての通知のうちの、一部であってもよい。例えば、所定の通知は、重要度や優先度が他の通知よりも高い通知であってもよい。この場合、重要度や優先度は、あらかじめ決定されてもよいし、ユーザによりカスタマイズ可能であってもよい。ただし、変形例では、後述するように、電子機器１は、外部通信装置３から所定の通知を受信してもすぐに当該所定の通知を出力せず、出力を待機してもよい。
【００５１】
図５Ａ〜図５Ｅは、電子機器１における画面の遷移例とともに通知の一例を示す説明図である。
【００５２】
図５Ａには、音声認識機能が非作動状態のときの画面例が示される。図５Ａに示す例では、アナログ時計地図表示状態であり、現在地を示すマークＭ１が表示され、表示領域の中心（現在位置と、針画像の回転中心）を通過するように直交してガイド線ＧＬ１，ＧＬ２が表示される。ガイド線ＧＬ１，ＧＬ２の近傍には、地図においてガイド線ＧＬ１，ＧＬ２がどの位置であるかを示す緯度経度の数値が表示される。これにより、ガイド線ＧＬ１，ＧＬ２の交点の位置にある現在位置の緯度経度をユーザは簡単に把握することができる。なお、図５Ａには、アナログ時計に係る時間を指す針表示ＨＨや、分を指す針表示ＭＨ、秒針表示ＳＨが示されている。
【００５３】
図５Ｂには、音声認識機能が音声入力待ち状態のときの画面（音声認識画面）例が示される。例えば、ユーザは、図５Ａに示す非作動状態において、第２入力部３０の所定のボタンを長押しすることで、図５Ｂに示すような音声入力待ち状態へと移行させることができる。音声入力待ち状態では、図５Ｂに示すように、ユーザに対して音声を入力するように促すメッセージ等が出力されてもよい。
【００５４】
図５Ｃには、音声認識機能が実行状態のときの画面（音声認識画面）例が示される。例えば、ユーザは、図５Ｂに示す音声入力待ち状態において、第１入力部１９を介して音声を入力する。この場合、図５Ｃに示すような実行状態を示す画面が出力される。実行状態では、図５Ｃに示すように、ユーザの音声を認識中であることを示すメッセージ等が出力されてもよい。
【００５５】
図５Ｄには、地図表示画面が示される。例えば、ユーザは、音声認識機能を利用して、目的地周辺の地図を表示したい場合は、非作動状態の画面（図５Ａ参照）から音声入力待ち状態（図５Ｂ参照）の画面に移行させて、「△△（目的地）の地図」と発話することで、図５Ｄに示すような目的地の地図表示画面を表示させることができる。
【００５６】
図５Ｅには、地図表示画面の表示状態において通知が出力されたときの画面例が示される。図５Ｅでは、メールが着信した旨を表す通知表示Ｇ５０が地図表示上に重畳される態様で出力されている。この場合、ユーザは、例えば通知表示Ｇ５０をタッチする等により、メールの本文をチェックできる。これにより、通知に基づく報知により、外部通信装置３を取り出すことなく、メール等を適切なタイミングでチェックでき、ユーザの利便性を高めることができる。
【００５７】
（外部通信装置）
外部通信装置３は、任意の電子機器であり、例えばスマートフォンやタブレットのような携帯可能な端末であってもよいし、パーソナルコンピュータのような固定の端末であってもよい。また、他の実施例では、外部通信装置３は、サーバの形態であってよい。この場合、外部通信装置３と電子機器１とは、ネットワーク（図示せず）を介して接続される。この場合、ネットワークは、無線通信網を含み、その他、インターネット、ＶＰＮ（Ｖｉｒｔｕａｌ  Ｐｒｉｖａｔｅ  Ｎｅｔｗｏｒｋ）、ＷＡＮ（Ｗｉｄｅ  Ａｒｅａ  Ｎｅｔｗｏｒｋ）、有線ネットワーク、又はこれらの任意の組み合わせ等を含んでもよい。
【００５８】
図６は、外部通信装置３の処理装置１００のハードウェア構成の一例を示す図である。
【００５９】
図６に示す例では、処理装置１００は、制御部１０１、主記憶部１０２、補助記憶部１０３、ドライブ装置１０４、ネットワークＩ／Ｆ部１０６、入力部１０７、及び出力部１０８を含む。
【００６０】
制御部１０１は、主記憶部１０２や補助記憶部１０３に記憶されたプログラムを実行する演算装置であり、入力部１０７や記憶装置からデータを受け取り、演算、加工した上で、記憶装置などに出力する。
【００６１】
主記憶部１０２は、ＲＯＭ（ＲＥＡＤ  ＯＮＬＹ  ＭＥＭＯＲＹ）やＲＡＭ（ＲＡＮＤＯＭ  ＡＣＣＥＳＳ  ＭＥＭＯＲＹ）などである。主記憶部１０２は、制御部１０１が実行する基本ソフトウェアであるＯＳ（ＯＰＥＲＡＴＩＮＧ  ＳＹＳＴＥＭ）やアプリケーションソフトウェアなどのプログラムやデータを記憶又は一時保存する記憶装置である。
【００６２】
補助記憶部１０３は、ＨＤＤ（ＨＡＲＤ  ＤＩＳＫ  ＤＲＩＶＥ）やＳＳＤ（ＳＯＬＩＤ  ＳＴＡＴＥ  ＤＲＩＶＥ）などであり、アプリケーションソフトウェアなどに関連するデータを記憶する記憶装置である。
【００６３】
ドライブ装置１０４は、記録媒体１０５、例えばフレキシブルディスクからプログラムを読み出し、記憶装置にインストールする。
【００６４】
記録媒体１０５は、所定のプログラムを格納する。この記録媒体１０５に格納されたプログラムは、ドライブ装置１０４を介して処理装置１００にインストールされる。インストールされた所定のプログラムは、処理装置１００により実行可能となる。
【００６５】
ネットワークＩ／Ｆ部１０６は、有線及び／又は無線回線などのデータ伝送路により構築されたネットワークを介して接続された通信機能を有する周辺機器と処理装置１００とのインターフェースである。
【００６６】
入力部１０７は、カーソルキー、数字入力及び各種機能キー等を備えたキーボード、マウスやタッチパッド等を有する。入力部１０７は、また、音声通話用等のマイクを含む。
【００６７】
出力部１０８は、音声通話用等のスピーカを含む。
【００６８】
なお、図６に示す例において、以下で説明する各種処理等は、プログラムを処理装置１００に実行させることで実現することができる。また、プログラムを記録媒体１０５に記録し、このプログラムが記録された記録媒体１０５を処理装置１００に読み取らせて、以下で説明する各種処理等を実現させることも可能である。なお、記録媒体１０５は、様々なタイプの記録媒体を用いることができる。例えば、記録媒体１０５は、ＣＤ（ＣＯＭＰＡＣＴ  ＤＩＳＣ）−ＲＯＭ、フレキシブルディスク、光磁気ディスク等のように情報を光学的、電気的あるいは磁気的に記録する記録媒体、ＲＯＭ、フラッシュメモリ等のように情報を電気的に記録する半導体メモリ等であってよい。
【００６９】
図７は、以下で説明する通知制御機能に関連した外部通信装置３の処理装置１００の機能構成の一例を示す図である。
【００７０】
外部通信装置３の処理装置１００は、通知送信部３０１と、報知態様制御部３０２（制御手段の一例）とを含む。通知送信部３０１及び報知態様制御部３０２は、図６の制御部１０１が記憶装置（例えば図６の主記憶部１０２）内の１つ以上のプログラムを実行することで実現できる。
【００７１】
通知送信部３０１は、電子機器１と外部通信装置３との間で通信が確立された状態（例えばブルートゥースによる接続が確立された状態）において、ユーザへの通知が発生すると、当該通知を電子機器１に送信する。送信対象の通知は、電話の着信、メールの受信、所定のアプリケーションからのプッシュ通知等であってよい。また、送信対象の通知は、上述した所定の通知を含む。
【００７２】
通知送信部３０１は、報知態様制御部３０２による制御下で、所定のタイミングが到来すると、通知を電子機器１に送信する。本実施例では、所定のタイミングは、本来の報知タイミングよりも遅れる場合がある。本来の報知タイミングとは、通知が発生したタイミングと略同時である。なお、「略同時」とは、送信処理等の処理時間による遅延等の僅かな遅れを許容する概念である。
【００７３】
報知態様制御部３０２は、電子機器１の音声認識機能が実行状態又は音声入力待ち状態である場合と、それ以外の場合（電子機器１の音声認識機能が非作動状態である場合）とで、電子機器１における通知に基づく報知態様を変化させる。具体的には、報知態様制御部３０２は、電子機器１の音声認識機能が実行状態又は音声入力待ち状態において本来の報知タイミングが到来した通知に対しては、当該本来の報知タイミングよりも遅れたタイミングで報知を行わせる。この場合、遅れたタイミングとは、例えば、電子機器１の音声認識機能が実行状態又は音声入力待ち状態が非作動状態に移行するタイミングであってよい。他方、報知態様制御部３０２は、電子機器１の音声認識機能が非作動状態において本来の報知タイミングが到来した通知に対しては、当該本来の報知タイミングで報知を行わせる。
【００７４】
本実施例では、一例として、このような報知のタイミングの調整は、通知送信部３０１が通知を電子機器１に送信するタイミング（上述の所定のタイミング）を調整することで実現される。具体的には、報知態様制御部３０２は、電子機器１の音声認識機能が実行状態又は音声入力待ち状態において本来の報知タイミングが到来した通知については、当該本来の報知タイミングよりも遅れた所定のタイミングで、通知送信部３０１が電子機器１に当該通知を送信するように制御する。他方、報知態様制御部３０２は、電子機器１の音声認識機能が非作動状態において本来の報知タイミングが到来した通知については、当該本来の報知タイミングで（すなわち通知が発生したタイミングと略同時に）、通知送信部３０１が電子機器１に当該通知を送信するように制御する。この場合、電子機器１側で報知タイミングを調整することなく、報知タイミングの適正化を図ることができる。ただし、変形例では、報知のタイミングの調整は、電子機器１側で実現されてもよい。
【００７５】
ところで、電子機器１の音声認識機能が実行状態又は音声入力待ち状態である場合は、ユーザが電子機器１で音声認識機能を利用したい場面である可能性が高く、かかる場面においては、通知が報知されると、かえって利便性が損なわれるおそれがある。例えば、音声認識機能が実行状態又は音声入力待ち状態で通知が報知される際に、音声認識機能が非作動状態に復帰する仕様である場合は、再び音声入力をやり直す必要が生じ、ユーザにとって不便となりうる。また、音声認識機能が実行状態又は音声入力待ち状態で通知が報知される際に、音声認識機能が非作動状態に復帰しない仕様である場合であっても、音声認識機能の利用を望むユーザにとって通知が邪魔に感じる場合がありうる。例えば、ユーザは自身が行っていた操作（入力）に対する集中を削がれてしまう場合がある。
【００７６】
この点、本実施例によれば、上述のように、電子機器１の音声認識機能が実行状態又は音声入力待ち状態である場合には、通知に基づく報知が待機されるので、上述のような不都合を防止できる。すなわち、通知を邪魔に感じたり、操作（入力）に対する集中を削がれてしまったりする等の不都合を低減できる。このようにして、本実施例によれば、通知に基づく報知によるユーザの集中の阻害等の可能性を低減できる。
【００７７】
ここで、上述のように電子機器１の音声認識機能が実行状態又は音声入力待ち状態である場合に、ある通知が、本来の報知タイミングよりも遅らされて報知されることを、「報知タイミング調整処理」とも称する。
【００７８】
報知タイミング調整処理は、電子機器１に送信する通知の全てに対して実行されてもよいし、電子機器１に送信する通知の一部に対して実行されてもよい。例えば、通知の属性に応じて、所定の属性の通知に対してのみ、報知タイミング調整処理が実行されてもよい。この場合、所定の属性の通知は、重要度や優先度が比較的低い属性の通知であってもよいし、ユーザによりあらかじめ選択された通知であってもよい。例えば、この場合、所定の属性の通知以外の通知については、電子機器１の音声認識機能が実行状態又は音声入力待ち状態である場合でも報知されることになる。この場合の報知は、好ましくは、音声認識機能の実行状態又は音声入力待ち状態から非作動状態への復帰を伴わない態様で実現されてもよい。この場合、ユーザは、通知を見ながら、音声入力を継続できる。
【００７９】
（動作例）
次に、通知制御装置１０の動作例について、図８の概略フローチャートを参照して説明する。以降の処理フロー図（フローチャート）においては、各ステップの入力と出力の関係を損なわない限り、各ステップの処理順序を入れ替えてもよい。
【００８０】
図８は、通知制御装置１０の動作例の説明用の概略フローチャートである。
【００８１】
まず、電子機器１において、ユーザが音声認識画面に遷移させる（ステップＳ８００）（図５Ｂ参照）。なお、音声認識画面への遷移の仕方は、任意であり、タッチパネル１７へのタッチ操作でもよいし、第２入力部３０に対するボタン操作でもよいし、第１入力部１９を介して特定の言葉（例えば、“ＯＫ、□□”）の入力をトリガにしてもよい。
【００８２】
音声認識画面への遷移が生じると（すなわち電子機器１の音声認識機能が非作動状態から実行状態又は音声入力待ち状態に移行すると）、電子機器１は、外部通信装置３に無線通信を介して、通知ストップコマンドを送信する（ステップＳ８０２）。なお、通知ストップコマンドに代えて、上述した状態情報（実行状態又は音声入力待ち状態を表す情報）が外部通信装置３に送信されてもよい。
【００８３】
ユーザがその後、電子機器１での音声認識機能の利用中、すなわち音声認識機能の利用が終了する（ステップＳ８０４）までは、外部通信装置３が基地局や外部サーバから通知に係る情報を受け取ったとしても（ステップＳ８２２の“Ｙｅｓ”）、電子機器１ではその通知が報知されず、外部通信装置３のみにおいて報知される（ステップＳ８２４）。
【００８４】
ユーザが電子機器１での音声認識機能の利用が終わり、電子機器１を時計画面（図５Ａ参照）に戻すと、電子機器１は、外部通信装置３に無線通信を介して、通知再開コマンドを送信する（ステップＳ８０６）。なお、通知再開コマンドに代えて、上述した状態情報（非作動状態を表す情報）が外部通信装置３に送信されてもよい。変形例では、ユーザが電子機器１での画面操作（例えば図５Ｄの地図画面の操作）が終わり、電子機器１を時計画面（図５Ａ参照）に戻すと、電子機器１は、外部通信装置３に無線通信を介して、通知再開コマンドを送信してもよい。すなわち、ユーザによる電子機器１の操作状態又は操作待ち状態（入力待ち状態の他の一例）の間は、通知再開コマンドが外部通信装置３に送信されないこととしてもよい。
【００８５】
次いで、電子機器１は、外部通信装置３と無線通信を介して、電子機器１への通知を再開する（ステップＳ８２６）。再開後、外部通信装置３が通知停止期間中（すなわち通知ストップコマンドを受信してから通知再開コマンドを受信するまでの期間中）に外部サーバや基地局から通知に係る情報を受け取っていれば（ステップＳ８２８の“Ｙｅｓ”）、電子機器１に通知を送信することで、電子機器１で通知を報知させる（ステップＳ８０８）。
【００８６】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００８７】
例えば、上述した実施例では、電子機器１の音声認識機能が実行状態又は音声入力待ち状態である場合と、電子機器１の音声認識機能が非作動状態とで、電子機器１での通知に基づく報知態様が変化されているが、これに限られない。例えば、音声認識機能以外での操作（例えば地図表示画面におけるスクロール操作のような操作）に関しても適用できる。この場合、電子機器１の入力手段に対する入力中又は入力待ち状態である場合と、電子機器１の入力手段に対する入力待ち状態以外の非入力状態とで、電子機器１での通知に基づく報知態様が変化されてもよい。入力中とは、音声入力の場合は、音声認識機能が実行状態に対応し、タッチ入力の場合は、タッチ操作が現に行われている状態に対応する。また、電子機器１が、第１ＣＰＵ１１Ａの動作状態に応じてアクティブ状態とアンビエント状態との間で遷移する場合、非入力状態とは、電子機器１のアンビエント状態に対応してよい。この場合、入力待ち状態は、アクティブ状態における入力中以外の状態に対応することになる。なお、上述した地図表示画面（図５Ｄ参照）は、ユーザからの入力待ち状態で形成される画面の一例であり、地図のスクロール操作や拡大操作等が可能である。
【００８８】
また、上述した実施例では、外部通信装置３が報知態様制御部３０２を有することで、電子機器１における通知に基づく報知態様が制御されているが、これに限られない。例えば、電子機器１が、外部通信装置３の報知態様制御部３０２に対応する機能を有することで、電子機器１側で通知に基づく報知態様が制御されてもよい。この場合、報知態様制御部３０２は、通知にかかる情報を受信すると、すぐに電子機器１に送信するが、電子機器１において、電子機器１での通知に基づく報知タイミング等が制御されることになる。この場合も、上述した実施例と同様の効果が得られる。
【００８９】
また、上述した実施例では、電子機器１における外部通信装置３を介した通知に関するものであるが、電子機器１が、外部サーバや基地局からの通知に係る情報を直接的に（外部通信装置３を介さずに）受信できる場合にも適用できる。この場合、電子機器１は、外部通信装置３の報知態様制御部３０２に対応する機能を有することで、電子機器１の音声認識機能が実行状態又は音声入力待ち状態である場合と、電子機器１の音声認識機能が非作動状態とで、電子機器１での通知に基づく報知態様を、上述と同様に変化させることができる。
【００９０】
また、上述した実施例では、電子機器１の音声認識機能が実行状態又は音声入力待ち状態である場合と、電子機器１の音声認識機能が非作動状態とで、報知タイミングに加えて又は代えて、他の報知態様が変化されてもよい。例えば、通知に基づく報知が表示で実現される場合、表示の大きさや色等が変化されてもよい。この場合、電子機器１の音声認識機能が実行状態又は音声入力待ち状態である場合は、電子機器１の音声認識機能が非作動状態よりも、小さいサイズや注意喚起度が低い色等で、通知の表示（例えば図５Ｅの通知表示Ｇ５０参照）が出力されてもよい。なお、通知表示のサイズを小さくすることは、報知領域を小さくすることに対応する。
【００９１】
あるいは、電子機器１の音声認識機能が実行状態又は音声入力待ち状態である場合は、予備通知（第１通知の一例）を報知するだけに留め、電子機器１の音声認識機能が非作動状態になってから本通知（第２通知の一例）を報知してもよい。本通知は、予備通知よりも詳しい内容（情報）を有する通知である。この場合、予備通知は、例えば、振動のみによる通知であってもよいし、通知表示のサイズが本通知よりも小さい通知であってもよい。
【００９２】
以下に、この出願の願書に最初に添付した特許請求の範囲に記載した発明を付記する。付記に記載した請求項の項番は、この出願の願書に最初に添付した特許請求の範囲の通りである。
＜請求項１＞
ユーザによる入力を受け付ける入力手段と、
前記ユーザに対する所定の通知に基づいた報知を行う報知手段と、
前記入力手段に対する入力中又は入力待ち状態において前記報知手段による通知に基づいた報知が可能となる通知可能タイミングが到来した場合と、前記入力手段に対する前記入力中及び前記入力待ち状態以外の非入力状態において前記通知可能タイミングが到来した場合とで、前記報知手段による報知態様を変化させる制御手段とを備える、通知制御装置。
＜請求項２＞
前記制御手段は、前記入力中又は前記入力待ち状態において前記通知可能タイミングが到来した場合、前記非入力状態において前記通知可能タイミングが到来した場合よりも、前記報知手段による報知を遅らせる、請求項１に記載の通知制御装置。
＜請求項３＞
前記制御手段は、前記入力中又は前記入力待ち状態において前記通知可能タイミングが到来した場合、前記非入力状態になるまで、前記報知手段による報知を待機させる、請求項２に記載の通知制御装置。
＜請求項４＞
前記制御手段は、前記入力中又は前記入力待ち状態において前記通知可能タイミングが到来した場合、前記入力手段に対する前記入力待ち状態以外の非入力状態において前記通知可能タイミングが到来した場合よりも、表示部における前記報知手段による報知領域を小さくする、請求項１に記載の通知制御装置。
＜請求項５＞
前記制御手段は、前記入力中又は前記入力待ち状態において前記通知可能タイミングが到来した場合、該通知可能タイミングで第１通知を報知し、前記通知可能タイミングよりも後に、前記第１通知よりも詳細な第２通知を報知する、請求項１に記載の通知制御装置。
＜請求項６＞
前記制御手段は、更に、前記通知可能タイミングが到来した場合であっても、前記通知の属性が所定の属性である場合は、該通知可能タイミングで前記通知に基づいた報知をしつつ、前記入力中又は前記入力待ち状態を維持する、請求項１〜５のうちのいずれか１項に記載の通知制御装置。
＜請求項７＞
前記入力手段は、ユーザによる音声入力又はタッチ入力を受け付けることを特徴とする請求項１〜６のうちのいずれか１項に記載の通知制御装置。
＜請求項８＞
前記入力手段、前記報知手段、及び前記制御手段は、一の電子機器により実現される、請求項１〜７のうちのいずれか１項に記載の通知制御装置。
＜請求項９＞
前記所定の通知を受信する受信手段と、
前記所定の通知を送信する送信手段とを更に備え、
前記受信手段、前記入力手段及び前記報知手段は、第１の電子機器により実現され、
前記送信手段及び前記制御手段は、前記第１の電子機器とは異なる第２の電子機器により実現され、前記送信手段は、前記第１の電子機器に前記所定の通知を送信する、請求項１〜７のうちのいずれか１項に記載の通知制御装置。
＜請求項１０＞
電子機器の入力手段に対するユーザによる入力中又は入力待ち状態において前記ユーザに対する所定の通知が通知可能となる通知可能タイミングが到来した場合と、前記入力手段に対する前記入力待ち状態以外の非入力状態において前記通知可能タイミングが到来した場合とで、前記所定の通知に基づく報知態様を変化させることを含む、コンピュータにより実行される方法。
＜請求項１１＞
電子機器の入力手段に対するユーザによる入力中又は入力待ち状態において前記ユーザに対する所定の通知が通知可能となる通知可能タイミングが到来した場合と、前記入力手段に対する前記入力待ち状態以外の非入力状態において前記通知可能タイミングが到来した場合とで、前記所定の通知に基づく報知態様を変化させる
処理をコンピュータに実行させるプログラム。
【符号の説明】
【００９３】
１  電子機器
２  ヘッドセット
３  携帯端末
１１Ａ  第１ＣＰＵ
１１Ｂ  第２ＣＰＵ
１４  記憶部
１５  ＲＴＣ部
１６  ドライブ
１７  タッチパネル
１８  第１表示部
１９  第１入力部
２０  ブルートゥース用アンテナ
２１  ブルートゥースモジュール
２２  無線ＬＡＮアンテナ
２３  無線ＬＡＮモジュール
２４  第２表示部
２５  脈拍センサ
２６  地磁気センサ
２７  加速度センサ
２８  ジャイロセンサ
２９  照度センサ
３０  第２入力部
３１  ＧＰＳアンテナ
３２  ＧＰＳモジュール
４１  リムーバブルメディア
【図１】
2020061031.tif 000003
【図２】
2020061031.tif 000004
【図３】
2020061031.tif 000005
【図４】
2020061031.tif 000006
【図５Ａ】
2020061031.tif 000007
【図５Ｂ】
2020061031.tif 000008
【図５Ｃ】
2020061031.tif 000009
【図５Ｄ】
2020061031.tif 000010
【図５Ｅ】
2020061031.tif 000011
【図６】
2020061031.tif 000012
【図７】
2020061031.tif 000013
【図８】
2020061031.tif 000014